【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
１つのマイクロレンズと複数の光電変換部とを有する単位画素が行列状に複数配列された画素部と、
前記画素部全体の単位画素から出力された信号を保持する信号保持部と、
前記信号保持部により保持された信号を処理する信号処理部であって、前記信号保持部により保持された信号に撮像画像を生成するための信号処理を行う撮像画像用信号処理部と、前記信号保持部により保持された信号に焦点検出のための信号処理を行う焦点検出用信号処理部とを有する信号処理部と、
前記信号処理部で処理された信号を出力する出力部と、
を備えることを特徴とする撮像素子。
【請求項２】
前記焦点検出用信号処理部は、前記信号保持部により保持された前記画素部全体の信号から、前記画素部における目的とする領域の前記単位画素の信号を選択し、選択された単位画素それぞれの複数の光電変換部の信号のうち少なくとも１つの光電変換部の信号を出力することを特徴とする請求項１に記載の撮像素子。
【請求項３】
前記焦点検出用信号処理部は、前記選択された単位画素それぞれの複数の光電変換部の信号をそれぞれ出力することを特徴とする請求項２に記載の撮像素子。
【請求項４】
前記焦点検出用信号処理部は、前記選択された単位画素それぞれの複数の光電変換部の信号を選択的に混合して出力することを特徴とする請求項２に記載の撮像素子。
【請求項５】
前記焦点検出用信号処理部は、前記信号保持部により保持された前記画素部全体の信号から、前記画素部における目的とする領域の前記単位画素の信号を選択し、前記選択された単位画素それぞれの複数の光電変換部の信号に対して相関演算を行い、該相関演算により算出された値を出力することを特徴とする請求項１に記載の撮像素子。
【請求項６】
前記信号保持部は、それぞれの単位画素の前記光電変換部から出力された信号をそれぞれ保持する複数の保持回路を有することを特徴とする請求項１乃至５のいずれか１項に記載の撮像素子。
【請求項７】
前記信号保持部は、それぞれの単位画素の前記光電変換部から列ごとに出力された信号をそれぞれ保持するための複数の保持回路を有することを特徴とする請求項１乃至５のいずれか１項に記載の撮像素子。
【請求項８】
前記撮像画像用信号処理部は、それぞれの単位画素の前記複数の光電変換部の信号を圧縮して出力する圧縮処理手段を有することを特徴とする請求項１乃至７のいずれか１項に記載の撮像素子。
【請求項９】
前記圧縮処理手段は、それぞれの単位画素の前記複数の光電変換部の信号を混合平均化することを特徴とする請求項８に記載の撮像素子。
【請求項１０】
複数の半導体基板から形成される多層構造を備え、前記画素部と前記信号処理部は互いに異なる基板に形成されていることを特徴とする請求項１乃至９のいずれか１項に記載の撮像素子。
【請求項１１】
撮像素子と、該撮像素子から読み出された信号を処理して画像を生成する画像処理手段と、前記読み出された信号を処理して焦点検出を行う焦点検出手段とを備え、
前記撮像素子が、
１つのマイクロレンズと複数の光電変換部とを有する単位画素が行列状に複数配列された画素部と、
前記画素部全体の単位画素から出力された信号を保持する信号保持部と、
前記信号保持部により保持された信号を処理する信号処理部であって、前記信号保持部により保持された信号に撮像画像を生成するための信号処理を行う撮像画像用信号処理部と、前記信号保持部により保持された信号に焦点検出のための信号処理を行う焦点検出用信号処理部とを有する信号処理部と、
前記信号処理部で処理された信号を出力する出力部と、
を有することを特徴とする撮像装置。
【請求項１２】
前記焦点検出用信号処理部は、前記信号保持部により保持された前記画素部全体の信号から、前記画素部における目的とする領域の前記単位画素の信号を選択し、選択された単位画素それぞれの複数の光電変換部の信号のうち少なくとも１つの光電変換部の信号を出力することを特徴とする請求項１１に記載の撮像装置。
【請求項１３】
前記焦点検出用信号処理部は、前記選択された単位画素それぞれの複数の光電変換部の信号をそれぞれ出力することを特徴とする請求項１２に記載の撮像装置。
【請求項１４】
前記焦点検出用信号処理部は、前記選択された単位画素それぞれの複数の光電変換部の信号を選択的に混合して出力することを特徴とする請求項１２に記載の撮像装置。
【請求項１５】
前記焦点検出用信号処理部は、前記信号保持部により保持された前記画素部全体の信号から、前記画素部における目的とする領域の前記単位画素の信号を選択し、前記選択された単位画素それぞれの複数の光電変換部の信号に対して相関演算を行い、該相関演算により算出された値を出力することを特徴とする請求項１１に記載の撮像装置。
【請求項１６】
前記信号保持部は、それぞれの単位画素の前記光電変換部から出力された信号をそれぞれ保持する複数の保持回路を有することを特徴とする請求項１１乃至１５のいずれか１項に記載の撮像装置。
【請求項１７】
前記信号保持部は、それぞれの単位画素の前記光電変換部から列ごとに出力された信号をそれぞれ保持するための複数の保持回路を有することを特徴とする請求項１１乃至１５のいずれか１項に記載の撮像装置。
【請求項１８】
前記撮像画像用信号処理部は、それぞれの単位画素の前記複数の光電変換部の信号を圧縮して出力する圧縮処理手段を有することを特徴とする請求項１１乃至１７のいずれか１項に記載の撮像装置。
【請求項１９】
前記圧縮処理手段は、それぞれの単位画素の前記複数の光電変換部の信号を混合平均化することを特徴とする請求項１８に記載の撮像装置。
【請求項２０】
前記撮像素子は、複数の半導体基板から形成される多層構造を備え、前記画素部と前記信号処理部は互いに異なる基板に形成されていることを特徴とする請求項１１乃至１９のいずれか１項に記載の撮像装置。
【手続補正２】
【補正対象書類名】明細書
【補正対象項目名】０００８
【補正方法】変更
【補正の内容】
【０００８】
本発明に係わる撮像素子は、１つのマイクロレンズと複数の光電変換部とを有する単位画素が行列状に複数配列された画素部と、前記画素部全体の単位画素から出力された信号を保持する信号保持部と、前記信号保持部により保持された信号を処理する信号処理部であって、前記信号保持部により保持された信号に撮像画像を生成するための信号処理を行う撮像画像用信号処理部と、前記信号保持部により保持された信号に焦点検出のための信号処理を行う焦点検出用信号処理部とを有する信号処理部と、前記信号処理部で処理された信号を出力する出力部と、を備えることを特徴とする。
また、本発明に係わる撮像装置は、撮像素子と、該撮像素子から読み出された信号を処理して画像を生成する画像処理手段と、前記読み出された信号を処理して焦点検出を行う焦点検出手段とを備え、前記撮像素子が、１つのマイクロレンズと複数の光電変換部とを有する単位画素が行列状に複数配列された画素部と、前記画素部全体の単位画素から出力された信号を保持する信号保持部と、前記信号保持部により保持された信号を処理する信号処理部であって、前記信号保持部により保持された信号に撮像画像を生成するための信号処理を行う撮像画像用信号処理部と、前記信号保持部により保持された信号に焦点検出のための信号処理を行う焦点検出用信号処理部とを有する信号処理部と、前記信号処理部で処理された信号を出力する出力部と、を有することを特徴とする。
【手続補正３】
【補正対象書類名】明細書
【補正対象項目名】０００９
【補正方法】変更
【補正の内容】
【０００９】
本発明によれば、撮像画像データと焦点検出情報の両方を撮像素子内で高速に取得して出力することができる。